(57)【要約】【課題】播種や定植がなされた広幅の複数の畝を同時に被覆することができる農業用シートの被覆方法、及び被覆装置を提供する。【解決手段】農業用シート１１を被覆する被覆装置１２を作業車両１３に装着し、該作業車両１３の左右の車輪１４Ｌ，１４Ｒ，１５Ｌ，１５Ｒを播種や定植がなされた畝２４の畝溝２４ａを通過させながら、複数の畝２４を前記農業用シート１１で被覆するにあたり、当該該敷設装置１２を、作業車両１３の幅方向中心Ｃから略半畝分左右方向にオフセットした状態で、前記車輪１４Ｌ，１４Ｒ，１５Ｌ，１５Ｒが跨ぐ畝数よりも多い畝を農業用シート１１で同時に被覆すると共に、前記畝溝２４ａにおいて農業用シート１１の左右両袖部１１ｅを埋め込む埋設手段６６を設けた。【選択図】図５
2007289093.tif 000002
【特許請求の範囲】
【請求項１】
農業用シート（１１）を被覆する被覆装置（１２）を作業車両（１３）に装着し、該作業車両（１３）の左右の車輪（１４Ｌ，１４Ｒ，１５Ｌ，１５Ｒ）を播種や定植がなされた畝（２４）の畝溝（２４ａ）を通過させながら、複数の畝（２４）を前記農業用シート（１１）で被覆するにあたり、当該被覆装置（１２）を、作業車両（１３）の幅方向中心（Ｃ）から略半畝分左右方向にオフセットした状態で、前記車輪（１４Ｌ，１４Ｒ，１５Ｌ，１５Ｒ）が跨ぐ畝数よりも多い畝を農業用シート（１１）で同時に被覆することを特徴とする農業用シートの被覆方法。
【請求項２】
農業用シート（１１）を被覆する被覆装置（１２）を作業車両（１３）に装着し、該作業車両（１３）の左右の車輪（１４Ｌ，１４Ｒ，１５Ｌ，１５Ｒ）を播種や定植がなされた畝（２４）の畝溝（２４ａ）を通過させながら、複数の畝（２４）を前記農業用シート（１１）で被覆する農業用シートの被覆装置であって、当該被覆装置（１２）を、作業車両（１３）の幅方向中心（Ｃ）から略半畝分左右方向にオフセットした状態で取付可能に構成すると共に、前記畝溝（２４ａ）において農業用シート（１１）の左右両袖部（１１ｅ）を埋め込む埋設手段（６６）を設けたことを特徴とする農業用シートの被覆装置。
【請求項３】
オフセット状態における被覆装置（１２）の左右バランスを保持するバランス保持手段（Ｋ）を設けた請求項２に記載の農業用シートの被覆装置。
【発明の詳細な説明】
【技術分野】
【０００１】
本発明は、農作物を霜、雨、雹等から守って生育を促す農業用シートの被覆方法及び被覆装置に関する。
【背景技術】
【０００２】
従来、農業用シートである帯状フィルムをフィルムロールから引き出し、当該帯状フィルムを鎮圧ロールによって凸状の畝に押圧しながら敷設すると共に、前記畝に敷設した帯状フィルムの左右の畝裾を鎮圧する鎮圧輪と、この鎮圧輪で鎮圧した後の畝裾に土を被せる覆土輪を備えたフィルム張設装置が知られている（例えば、特許文献１参照）。
【０００３】
また、トラクタに連結した耕耘装置により圃場を耕耘すると同時に土壌消毒機による土壌消毒を行い、更にこの圃場表面全体を隙間なくフィルムで被覆すべく、前記土壌消毒機の後方にフィルム被覆機を連結し、このフィルム被覆機に装着したフィルムロールから帯状フィルムを繰出して、その一方の側縁に土掛けをして固定すると共に、他方の側縁を隣接する既敷設フィルムの土掛けした側縁に重ね、両者の合わせ目を上から粘着テープで接続することによって、圃場表面全体を順次被覆する全面マルチが知られている（例えば、特許文献１参照）。
【特許文献１】実公昭６０−２４１２９号公報（第１−２頁、図１−図３）
【特許文献２】特開平７−５９４７４号公報（第３−４頁、図１−図４）
【発明の開示】
【発明が解決しようとする課題】
【０００４】
しかし、上述した特許文献１のフィルム張設装置は、播種や定植がなされていない一つの凸状の畝を帯状フィルムによって被覆しようとするものであり、二つ以上の畝を同時に被覆することができないので作業性に問題を有していた。
【０００５】
また、特許文献２のように、耕耘と同時に土壌消毒がなされた圃場表面全体を帯状フィルムで順次被覆する全面マルチを、例えば大根、人参等の根菜類、及び春菊、ほうれん草等の葉菜類の播種がなされた畝や、苺、メロン、西瓜等の果菜類の定植がなされた比較的広幅な畝に適用しようとすると、フィルム被覆機を連結したトラクタの車輪と耕耘装置で播種または定植がなされた畝を壊しながら走行することになり、現実的な方法ではなかった。
【課題を解決するための手段】
【０００６】
本発明は、上記課題を解決することを目的としたものであって、農業用シートを被覆する被覆装置を作業車両に装着し、該作業車両の左右の車輪を播種や定植がなされた畝の畝溝を通過させながら、複数の畝を前記農業用シートで被覆するにあたり、当該被覆装置を、作業車両の幅方向中心から略半畝分左右方向にオフセットした状態で、前記車輪が跨ぐ畝数よりも多い畝を農業用シートで同時に被覆することを第１の特徴としている。
【０００７】
また、農業用シートを被覆する被覆装置を作業車両に装着し、該作業車両の左右の車輪を播種や定植がなされた畝の畝溝を通過させながら、複数の畝を前記農業用シートで被覆する農業用シートの被覆装置であって、当該被覆装置を、作業車両の幅方向中心から略半畝分左右方向にオフセットした状態で取付可能に構成すると共に、前記畝溝において農業用シートの左右両袖部を埋め込む埋設手段を設けたことを第２の特徴としている。
【０００８】
そして、オフセット状態における被覆装置の左右バランスを保持するバランス保持手段を設けたことを第３の特徴としている。
【発明の効果】
【０００９】
請求項１の発明によれば、農業用シートを敷設する被覆装置を作業車両に装着し、該作業車両の左右の車輪を播種や定植がなされた畝の畝溝を通過させながら、複数の畝を前記農業用シートで被覆するにあたり、当該被覆装置を、作業車両の幅方向中心から略半畝分左右方向にオフセットした状態で、前記車輪が跨ぐ畝数よりも多い畝を農業用シートで同時に被覆することによって、播種や定植がなされた畝を壊すことなく、前記農業用シートにより二つ以上の畝を同時に被覆することができるようになり作業性が大きく向上する。
【００１０】
また、請求項２の発明によれば、農業用シートを被覆する被覆装置を作業車両に装着し、該作業車両の左右の車輪を播種や定植がなされた畝の畝溝を通過させながら、複数の畝を前記農業用シートで被覆する農業用シートの被覆装置であって、当該被覆装置を、作業車両の幅方向中心から略半畝分左右方向にオフセットした状態で取付可能に構成すると共に、前記畝溝において農業用シートの左右両袖部を埋め込む埋設手段を設けたことによって、播種や定植がなされた畝を壊すことなく、二つ以上の畝を農業用シートで同時に被覆することができるようになり作業性が大きく向上すると共に、畝溝において前記埋設手段を介して農業用シートの左右両袖部を土中に埋め込むことができるので、風によって農業用シートの左右両袖部が剥がれ難くなる。
【００１１】
そして、請求項３の発明によれば、オフセット状態における被覆装置の左右バランスを保持するバランス保持手段を設けたことによって、作業車両に対して一側に偏移させたオフセット位置における被覆装置の偏移側への過度なローリングを抑制することができるので、農業用シートの被覆作業が安定して行なえるようになる。
【発明を実施するための最良の形態】
【００１２】
以下、本発明の実施形態を図面に基づいて説明する。図１及び図２は、農業用シート１１の被覆装置１２を作業車両１３の後部に装着した状態を示す側面図と平面図である。
【００１３】
この作業車両１３は、一般的な乗用型田植機の本機部を利用したものであって、該乗用型田植機は、その車輪である左右の前輪１４Ｌ，１４Ｒ、及び後輪１５Ｌ，１５Ｒに支持される走行機体１６を有し、この走行機体１６の前部にボンネット１７で覆われるエンジン１８を搭載すると共に、ボンネット１７の後方には、ステアリングホィール１９、主変速レバー２１、座席２２等を備える操縦部２３が設けてあり、当該作業車両１３は、播種や定植がなされた平畝２４を跨いで、その畝溝２４ａに左右の車輪（前後輪）１４Ｌ，１４Ｒ，１５Ｌ，１５Ｒを通過させながら移動することができるようになっている。
【００１４】
そして、走行機体１６の後部には昇降リンク機構２５が設けてあり、この昇降リンク機構２５の終端部に装着したヒッチホルダ２６を介して、農業用シート１１の被覆装置１２を着脱可能に取り付けている。尚、昇降リンク機構２５は油圧シリンダ２７の伸縮動作により上下に昇降連動するが、これらの基本的な構成は何れも従来通りであり詳細な説明を省略する。
【００１５】
次に、農業用シート１１の被覆装置１２について説明する。この被覆装置１２は、ヒッチホルダ２６にローリング可能に連結したサポートブロック２８を介して支持されており、当該被覆装置１２全体としては、作業車両１３の幅方向（機体）中心Ｃに位置するヒッチホルダ２６の筒軸２６ａにローリング可能に支承されている。
【００１６】
そして、サポートブロック２８の後部には、被覆装置１２を構成する角パイプ製の横フレーム２９を作業車両１３の幅方向（左右方向）にスライド可能に支持している。即ち、横フレーム２９は、図３及び図６に示すように、サポートブロック２８の左右両端部において、上下一対のローラ３１，３１により挟持した状態でスライド可能に支持してあり、それによって当該被覆装置１２を、図２に示す如く作業車両１３の幅方向中心Ｃに位置する非作業姿勢Ａから、図５及び図６に示すように、左右一側へオフセットさせた詳細は後述する被覆作業姿勢Ｂまで容易に変更することができるようになっている。
【００１７】
また、横フレーム２９の左右両端部には、後方に延出する角パイプ製の縦フレーム３２，３２を螺設している。そして、両縦フレーム３２，３２の略中間部の上面には、ロール状に巻き上げられた農業用シート１１を支持する丸パイプ製の芯材３３を軸支するためのホルダ３４を立設している。
【００１８】
また、図２〜図４に示すように、作業車両（乗用型田植機）１３のミッションケース３５側の（植付）ＰＴＯ軸３６から出力される動力を、ユニバーサルジョイント３７を介して入力ケース３８に入力し、この入力ケース３８内のベベルギヤを介して左右の出力軸３９Ｌ，３９Ｒに分岐伝動すると共に、両出力軸３９Ｌ，３９Ｒの軸端側に設けた左右のチェンケース４１Ｌ，４１Ｒに内装するチェン伝動機構を介して、詳細は後述する覆土装置４２に備える土解し手段４３を回転駆動させることができるように構成している。
【００１９】
更に詳しくは、入力ケース３８は、横フレーム２９から垂下させたアーム４６に取付けてある。また、左右のチェンケース４１Ｌ，４１Ｒは、横フレーム２９の下面に固設した一対の支持部材４７，４７から垂下させたアーム４８，４８に共締め状態で螺設してある。そして、両チェンケース４１Ｌ，４１Ｒ下部の出力軸５１は、被覆装置１２の内側方向に突出させてあり、この出力軸５１に土解し手段４３としての複数の土解し爪５２を螺設している。
【００２０】
尚、これらの土解し爪５２は、側面視で９０°位相となるように出力軸５１の軸方向に所定の間隔を隔てて配置すると共に、土解し爪５２によって解した土が飛散することを防止するための上部カバー５３を、横フレーム２９の下面に固設した両支持部材４７，４７のうち被覆装置１２の内側方向にある支持部材４７と、この支持部材４７よりも更に被覆装置１２の内側方向で横フレーム２９の下面に固設した支持部材５４とに螺設している。
【００２１】
また、左右のチェンケース４１Ｌ，４１Ｒ下部のフランジ部には、土解し手段４３の土解し爪５２による土解し深さを規制する橇体５５を共締め状態で螺設している。更に、上述した支持部材５４に上部カバー５３を共締めして後方に延出する支持プレート５６を設け、この支持プレート５６の下端と、横フレーム２９の下面に固設した一対の支持部材４７，４７のうち、被覆装置１２の内側方向にある支持部材４７から垂下させたアーム４８の下端とを連結プレート５７を介して連結すると共に、この連結プレート５７の下面に固設したジョイント（プレート）５７ａに溝形成手段であるフラットプレート６１を装着している。尚、このフラットプレート６１は、土解し手段４３の直後に設けてあり、土解し手段４３の土解し爪５２により解されて柔らかくなった土壌に、詳細は後述する農業用シート１１の左右両袖部１１ｅを埋め込むための幅狭な埋設溝Ｓを形成するものである。
【００２２】
そして、横フレーム２９の左右両端部に螺設した縦フレーム３２，３２の略中間部の下面には、農業用シート１１を被覆する際に、当該農業用シート１１に適度の張力を付与してシワの発生を防止するテンションローラ６２用のホルダ６３を垂設している。更に、溝形成手段であるフラットプレート６１の後方、即ちホルダ６３後部の内側に突設したピン６４には、アームプレート６５を介して上下揺動する鎮圧輪６６を自由回転可能に支承してあり、この鎮圧輪６６は、農業用シート１１の左右両袖部１１ｅを埋設溝Ｓ（土中）に埋め込むための埋設手段として作用する。
【００２３】
また、上述した鎮圧輪６６の後方には、この鎮圧輪６６により農業用シート１１の左右両袖部１１ｅを埋設溝Ｓに埋め込んだ後、当該埋設溝Ｓに土をかけて塞ぐ土寄せ手段６７を設けている。更に詳しくは、図４及び図７に示すように、左右の縦フレーム３２，３２の終端部において敷設装置１２の内側方向に横パイプ６８を固設し、この横パイプ６８の先端に平面視でコの字状の案内体６９を垂設すると共に、この案内体６９の内側に高さ調節可能に嵌装する平面視でコの字状支持部材７１に土寄せ手段６７を螺設している。
【００２４】
そして、この土寄せ手段６７は、平面視で略三角形の先端形状を有する底板７２の前側傾斜辺７２ａを上方に向けて曲げ形成することにより、埋設溝Ｓ側に土を誘導するための傾斜案内面Ｇを形成すると共に、前記前側傾斜辺７２ａに続く後側の辺７２ｂを鎮圧輪６６と平行に上方に向けて曲げ形成している。尚、底板７２の後側の辺７２ｂを、背面視で鎮圧輪６６と重合させることにより、効率よく埋設溝Ｓに土をかけて塞ぐことができる。尚、前記土寄せ手段６７と上述した橇体５５は、作業圃場において被覆装置１２の不要な沈下を防ぐ支持部材としての作用も有する。
【００２５】
ところで、本発明の農業用シートの被覆方法及び被覆装置に採用される農業用シート１１は、例えば大根、人参等の根菜類、及び春菊、ほうれん草等の葉菜類の播種がなされた畝や、苺、メロン、西瓜等の果菜類の定植がなされた比較的広幅な畝に適用されるものであって、前記農作を霜、雨、雹等から守って発芽の均一化や生育を促すべく、適度な通気性、通水性、保温性、及び防風性等を備え、且つ軽量で耐久性に優れた不織布製のべた掛け用農業被覆材であり、通常は被覆した農業用シート１１の作用効果が達せられると、この農業用シート１１を巻き取って繰り返し使用（再利用）されている。
【００２６】
以上説明した農業用シート１１の被覆装置１２は、図２に示すように、作業車両１３の幅方向中心Ｃ位置で上昇させた非作業姿勢Ａで通常の路上走行等がなされる。一方、図５及び図６に示す被覆作業姿勢Ｂにある被覆装置１２は、例えば、左右の車輪１４Ｌ，１４Ｒ，１５Ｌ，１５Ｒを人参の播種がなされた平畝２４の畝溝２４ａを通過させながら、前記車輪１４Ｌ，１４Ｒ，１５Ｌ，１５Ｒが跨ぐ畝数よりも多い２つの平畝２４を農業用シート１１により同時に敷設しようとするものであって、この時、平畝２４の幅Ｗ１＝１３００ｍｍ、畝溝２４ａの幅Ｗ２＝２００ｍｍであることから、当該農業用シート１１の全幅は、３２００ｍｍのものを使用している。また、左右の車輪１４Ｌ，１４Ｒ，１５Ｌ，１５Ｒの輪距は、それぞれ１４５０ｍｍとしている。
【００２７】
即ち、被覆装置１２を、作業車両１３の幅方向中心Ｃに位置する非作業姿勢Ａの状態から、略半畝分左右方向にオフセットした被覆作業姿勢Ｂの状態に変更することによって、このオフセット側（左右一側）の二つ以上の平畝２４を、農業用シート１１により同時に被覆することができるので作業性が大きく向上するといった利点が得られる。
【００２８】
尚、被覆装置１２全体は、作業車両１３の幅方向（機体）中心Ｃに位置するヒッチホルダ２６の筒軸２６ａにローリング可能に支承されており、上述の如く被覆装置１２を作業車両１３の幅方向中心Ｃに位置する非作業姿勢Ａから、略半畝分左右方向にオフセットした被覆作業姿勢Ｂに変更した場合は、このオフセット状態（被覆作業姿勢Ｂ）における被覆装置１２の偏移側への過度なローリングを抑制する必要があることから、当該オフセット位置における被覆装置１２の左右バランスを保持するためのバランス保持手段Ｋを、図３及び図６に示すように設けている。
【００２９】
このバランス保持手段Ｋは、ヒッチホルダ２６から被覆装置１２の偏移方向側へ延出した支持アーム７６の先端に回動操作可能に支承したレバー７７と、このレバー７７と被覆装置１２を構成する横フレーム２９との間に張設した引張スプリング７８からなり、該引張スプリング７８を介してオフセット状態における被覆装置１２の偏移側へのローリングを抑制し、農業用シート１１の被覆作業を安定して行なえるようにすると共に、被覆装置１２を非作業姿勢Ａから被覆作業姿勢Ｂにオフセットする際や、逆に被覆作業姿勢Ｂから非作業姿勢Ａに戻す際は、レバー７７の回動操作による引張スプリング７８の支点越えにより、当該引張スプリング７８の吊持力を解除して被覆装置１２の姿勢変更が無理なく行えるようにしている。尚、上述したバランス保持手段Ｋは、図６に示すように、被覆装置
１２を構成する横フレーム２９の非偏移側の端部に、バランスウェイトＷを装着することによって構成することもできる。
【００３０】
そして、ロール状に巻き上げられた農業用シート１１が２つの平畝２４上に被覆される直前に、この２つの平畝２４の外側に隣接する左右両側の畝溝２４ａ，２４ａの内側部分の土壌が、上述した土解し手段４３である土解し爪５２により解されて柔らかくなっており、次いで土解し手段４３の直後に設けた溝形成手段であるフラットプレート６１により、図６〜図８に示すような農業用シート１１の左右両袖部１１ｅを埋め込むための幅狭な埋設溝Ｓが形成される。更に詳しくは、フラットプレート６１は、被覆装置１２の外側方向に下がり傾斜で装着してあり、それによって前記両畝溝２４ａ，２４ａ表面の外側方向、即ち被覆装置１２の外側方向に土を排除しながら埋設溝Ｓが形成されるようになっている。
【００３１】
更に、農業用シート１１が２つの平畝２４上に被覆されると、その左右両袖部１１ｅは、埋設手段である鎮圧輪６６によって図８に示すように埋設溝Ｓ（土中）に埋め込まれ、しかる後に上述したフラットプレート６１により排除された土量に相当する土Ｄを、土寄せ手段６７を介して効率よく当該埋設溝Ｓにかけて塞ぐことができるようになっている。そして、前記鎮圧輪６６の回転軸８１は、図４及び図７に示すように、アームプレート６５の左右両側に介装した圧縮スプリング８２，８２を介して位置決め支持してあり、それによって作業車両１３の蛇行走行による鎮圧輪６６の追従蛇行を緩慢にして、確実に農業用シート１１の左右両袖部１１ｅを埋設溝Ｓに埋め込むことができるようにしている。
【００３２】
以上説明したように、本発明によれば、農業用シート１１を被覆する被覆装置１２を作業車両１３に装着し、この作業車両１３の左右の車輪１４Ｌ，１４Ｒ，１５Ｌ，１５Ｒを播種や定植がなされた平畝２４の畝溝２４ａを通過させながら、複数の平畝２４を前記農業用シート１１で被覆するにあたり、当該被覆装置１２を、作業車両１３の幅方向中心Ｃから略半畝分左右方向にオフセットした状態で取付可能に構成し、このオフセット状態で
前記車輪１４Ｌ，１４Ｒ，１５Ｌ，１５Ｒが跨ぐ畝数よりも多い平畝２４を農業用シート１１で同時に被覆すると共に、前記畝溝２４ａにおいて農業用シート１１の左右両袖部１１ｅを埋め込む埋設手段としての鎮圧輪６６を設けたことによって、播種や定植がなされた平畝２４を壊すことなく、二つ以上の平畝２４を農業用シート１１で同時に被覆することができるようになり作業性が大きく向上すると共に、畝溝２４ａにおいて前記埋設手段６６を介して農業用シート１１の左右両袖部１１ｅを土中に埋め込むことができるので、風によって農業用シート１１の左右両袖部１１ｅが剥がれ難くなる。また、被覆装置１２を装着するための専用の作業機を用意しなくても、乗用型田植機等の本機部に被覆装置１２を装着することができ、またこの被覆装置１２をトラック等の荷台に搭載して容易に運搬することができるのでコスト的に優れている。
【００３３】
更に詳しくは、畝溝２４ａにおいて農業用シート１１の左右両袖部１１ｅを確実に覆土すべく、畝溝２４ａ内の土壌を解す土解し手段４３と、該土解し手段４３の直後に設けた幅狭な埋設溝Ｓを形成する溝形成手段６１と、該溝形成手段６１の後方に設けた農業用シート１１の左右両袖部１１ｅを埋め込む埋設手段６６と、該埋設手段６６の後方に設けた土寄せ手段６７からなる覆土装置４２を被覆装置１２に設けているが、農業用シート１１自体が土中の微生物によって生分解され易い素材からなる場合は、その左右両袖部１１ｅに必要以上の覆土を行うと生分解が進行してシート幅が狭くなり、当該農業用シート１１を巻き取って繰り返し使用（再利用）することができなくなることから、その場合は、前記土寄せ手段６７が作用しない高さ位置に上昇調節して、農業用シート１１の左右両袖部１１ｅの埋設手段である鎮圧輪６６の鎮圧（押圧）作用のみで、前記埋設溝Ｓに農業用シート１１の左右両袖部１１ｅを埋め込むことによって、農業用シート１１の左右両袖部１１ｅを風によって剥がれ難くすることが可能である。
【００３４】
尚、被覆装置１２により圃場に被覆した農業用シート１１の作用効果が達せられると、通常はこの農業用シート１１を巻き取って繰り返し使用しているので、更に作業性を向上させるには、図１、図２、及び図５に示すように、作業車両１３の前端部にホルダ９１と図示しないスライド機構を介して、被覆装置１２と同様に作業車両１３の幅方向中心Ｃに位置する非作業姿勢から、略半畝分左右方向に偏移させた巻取作業姿勢にオフセット可能な農業用シート１１の巻取装置９２を設けることが好ましい。
【００３５】
また、上述した実施例では、被覆装置１２を、作業車両１３の幅方向中心Ｃに位置する非作業姿勢Ａから、略半畝分左右方向にオフセットした被覆作業姿勢Ｂに変更可能に構成することによって、作業車両１３の左右の車輪１４Ｌ，１４Ｒ，１５Ｌ，１５Ｒが跨ぐ畝数よりも多い平畝２４、即ち２つの平畝２４を農業用シート１１により同時に敷設できるように構成しているが、前記被覆装置１２の取付位置を変更することなく、略半畝分左右方向にオフセットした被覆作業姿勢Ｂ位置で固定配置されるものであってもよい。また、図９及び図１０に示すように、前記車輪１４Ｌ，１４Ｒ，１５Ｌ，１５Ｒが２つの平畝２４を跨いで走行できるように輪距を広げることによって、被覆装置１２を左右一側へオフセットできるように構成しなくても、２つの平畝２４を農業用シート１１により同時に被覆することが可能である。この時、農業用シート１１の左右両袖部１１ｅを覆土する覆土装置４２は、上述した実施例と同様な構成を採用すればよい。
【図面の簡単な説明】
【００３６】
【図１】作業車両に被覆装置を装着した状態を示す側面図。
【図２】作業車両に被覆装置を装着した状態を示す平面図（非作業姿勢）。
【図３】被覆装置の側面図。
【図４】覆土装置の構成を示す平面図。
【図５】被覆作業状態の作業車両と被覆装置の平面図。
【図６】被覆作業状態の被覆装置の背面図。
【図７】覆土装置の構成を示す一部を省略した背面図。
【図８】農業用シートの袖部を覆土した状態を示す背面図。
【図９】作業車両の輪距を広げた場合の被覆作業状態を示す背面図。
【図１０】輪距を広げた作業車両に被覆装置を装着した状態を示す平面図。
【符号の説明】
【００３７】
１１    農業用シート
１１ｅ  左右両袖部
１２    被覆装置
１３    作業車両
１４Ｌ  車輪（左前輪）
１４Ｒ  車輪（右前輪）
１５Ｌ  車輪（左後輪）
１５Ｒ  車輪（右後輪）
２４    畝
２４ａ  畝溝
６６    埋設手段
Ｃ      幅方向中心（作業車両）
Ｋ      バランス保持手段
【図１】
2007289093.tif 000003
【図２】
2007289093.tif 000004
【図３】
2007289093.tif 000005
【図４】
2007289093.tif 000006
【図５】
2007289093.tif 000007
【図６】
2007289093.tif 000008
【図７】
2007289093.tif 000009
【図８】
2007289093.tif 000010
【図９】
2007289093.tif 000011
【図１０】
2007289093.tif 000012